(57)【要約】      （修正有）【課題】フィラーブロックを不要とした簡単な構造からなる汚泥掻寄機のフライト構造を提供する。【解決手段】取付用ブラケット１６に沿って隙間無く密着させてボルト締めされる扁平なフライト本体片２と、該フライト本体片のリンク側の端部で略直角に曲成されリンク１５に沿ってチェーン１１の前進方向に延びる第１横片３と、前記フライト本体片のリンクと離間した側で前記取付用ブラケットを超えて延びる前記フライト本体片の端部から略直角に曲成され前記第１横片と反対方向に延びる第２横片４とからなっており、前記フライト本体片と第１横片又は第２横片のコーナー部分に、シュー７を外嵌固定してなる。【選択図】図２
0003161766.tif 000002
【実用新案登録請求の範囲】
【請求項１】
無端チェーンのリンクにチェーンの進行方向に対して直交する方向に立設された取付用ブラケットにフライトを固定する汚泥掻寄機のフライト構造において、
取付用ブラケットに沿って隙間無く密着させてボルト締めされる扁平なフライト本体片と、
該フライト本体片の前記リンク側の端部で略直角に曲成されリンクに沿ってチェーンの前進方向に延びる第１横片と、
前記フライト本体片のリンクと離間した側で前記取付用ブラケットを超えて延びる前記フライト本体片の端部から略直角に曲成され前記第１横片と反対方向に延びる第２横片とからなっており、
前記フライト本体片と第１横片のコーナー部分、又は前記フライト本体片と第２横片のコーナー部分に、略断面アングル状のシューを外嵌してフライト本体片とシューとをボルト締めしてなることを特徴とする汚泥掻寄機のフライト構造。
【請求項２】
取付用ブラケットにフライト本体片を固定するボルトが、ボルトの先端のネジ部をフライト本体片から取付用ブラケットを貫通して挿入し、先端のネジ部が二重ナットによってボルト締めされていることを特徴とする請求項１に記載の汚泥掻寄機のフライト構造。
【請求項３】
取付用ブラケットにフライト本体片を固定する際にフィラーブロック及び補強用の当金を不要としたことを特徴とする請求項１または２に記載の汚泥掻寄機のフライト構造。
【考案の詳細な説明】
【技術分野】
【０００１】
本考案は、汚泥掻寄機のフライト構造にかかり、特に、フィラーブロックを不要とした簡単な構造からなるフライト構造に関する。
【背景技術】
【０００２】
従来、下水処理場や浄水場の沈殿池等では、その水底に沈殿又は堆積した汚泥やスラッジ等を掻き寄せ、排出するために汚泥掻寄機が用いられている。
この種の汚泥掻寄機では、前記沈殿池等の水底の所定位置に複数のスプロケットホイールが配置される。
そして、上記スプロケットホイールには無端チェーンが掛け渡されて循環駆動するようになっている。
上記無端チェーンには、多数のフライトを所定の間隔で取り付けておき、モータにより駆動用のスプロケットホイールを回転させて、無端チェーンを循環動させて前記フライトを水底に沿って移動させる。
これにより、前記フライトは水底に沈殿又は堆積した汚泥やスラッジ等を、沈殿池等の一端に配設した汚泥ピット内に掻き寄せ、排出するようにしている。
【０００３】
前記無端チェーンに取り付けられる従来のフライトは、強度等を勘案して金属板を折り曲げたり、合成樹脂を一体成形して、全体形状を断面略ヒ字形乃至コ字状に形成している。
例えば、図６〜７に示す実用新案登録第３１４９２０５号公報のフライト２１では、無端チェーン１１のリンク１５に対して、略垂直に取り付けられるフライト本体片２２と、その下端で、直角に折れ曲がり無端チェーン１１に対して略水平に配置されると共に、無端チェーンの前進方向後方へ延びる第２突出片２３と、フライト本体片２２の上端側で直角に折れ曲がり前記第２突出片２３と平行で同じ方向に延びる第１突出片２４と、前記フライト本体片２２の上部で上方延長上に突出する突片部２５とを有している。
また、前記フライト２１が固定されるリンク１５には、その中途位置から垂下する取付用ブラケット１６が一体に形成されている。
【０００４】
そして、前記フライト２１は、フライト本体片２２の背面と取付用ブラケット１６との間のスペースにフィラーブロック２８を介設して、ボルトＢ１、ナットＮ１によって一体的に緊締されている。
また、前記フライト本体片２２の表面側には、補強用にステンレスの当金２６を左右一対に設けて、前記ボルトＢ１の頭部側と接するようになっている。
尚、フライト２１の水平移動をガイドするために、ガイドレール３１が敷設されている。
そして、前記ガイドレール３１に対応する個所に断面アングル状のシュー２７が外嵌され、フライト本体片２２にボルトＢ２、ナットＮ２によって緊締されている。
これにより、合成樹脂製のガイドレールの厚みを従来構造より薄くすることができるが、フィラーブロックを必要とするため嵩張ると共に切欠を設ける等の構造が複雑化するという欠点がある。
【先行技術文献】
【特許文献】
【０００５】
【特許文献１】実用新案登録第３１４９２０５号公報
【考案の概要】
【考案が解決しようとする課題】
【０００６】
この考案は、上記事情に鑑みて創案されたものであって、その主たる課題は、フィラーブロックを省略することで、リンクに固定された取付用ブラケットに直接フライトをボルト締めすることで、厚み方向に嵩張ることなく、且つフライトに切欠など加工を要せずに簡単、確実にフライトを装着しうる汚泥掻寄機のフライト構造を提供することにある。
【課題を解決するための手段】
【０００７】
上記課題を解決するために、請求項１の考案では、
無端チェーンのリンクにチェーンの進行方向に対して直交する方向に立設された取付用ブラケットにフライトを固定する汚泥掻寄機のフライト構造において、
取付用ブラケットに沿って隙間無く密着させてボルト締めされる扁平なフライト本体片と、
該フライト本体片の前記リンク側の端部で略直角に曲成されリンクに沿ってチェーンの前進方向に延びる第１横片と、
前記フライト本体片のリンクと離間した側で前記取付用ブラケットを超えて延びる前記フライト本体片の端部から略直角に曲成され前記第１横片と反対方向に延びる第２横片とからなっており、
前記フライト本体片と第１横片のコーナー部分、又は前記フライト本体片と第２横片のコーナー部分に、略断面アングル状のシューを外嵌してフライト本体片とシューとをボルト締めしてなることを特徴とする。
【０００８】
また、請求項２の考案では、
前記取付用ブラケットにフライト本体片を固定するボルトが、ボルトの先端のネジ部をフライト本体片から取付用ブラケットを貫通して挿入し、先端のネジ部が二重ナットによってボルト締めされていることを特徴とする。
更に、請求項３の考案では、
前記取付用ブラケットにフライト本体片を固定する際にフィラーブロック及び補強用の当金を不要としたことを特徴とする。
【考案の効果】
【０００９】
この考案の汚泥掻寄機のフライト構造は、フライトの第１突出片と第２突出片の突出方向を逆にすることで、リンクに固定された取付用ブラケットに直接フライトをボルト締めすることができ、フィラーブロックを不要化することができ、且つ当板等を用いることなく確実に固定することができる。
また、この考案によれば、取付用ブラケットに切欠などを設けるころなく、簡単な構造で、信頼性の高いフライトを得ることができる。
【図面の簡単な説明】
【００１０】
【図１】汚泥掻寄機のチェーンに装着されたフライトの要部を示す正面図である。
【図２】リンクのブラケットにシュー付きのフライトを取付た状態の側面図である。
【図３】図１の背面図である。
【図４】リンクのブラケットにシューを外したフライトを取付た状態の側面図である。
【図５】テール軸側の回転状態を説明する図である。
【図６】リンクのブラケットにフライトを取付た従来構造の側面図である。
【図７】従来構造の使用状態を示す側面図である。
【考案を実施するための形態】
【００１１】
この考案は、フライトの第１突出片と第２突出片の突出方向を逆にすることで、リンクに固定された取付用ブラケットに直接フライトをボルト締めすることができ、フライトの厚み方向の嵩張りを抑え、且つ構造を簡易化することで装着を容易し、同時に信頼性の向上を実現した。
【実施例１】
【００１２】
以下に、この考案の汚泥掻寄機のフライト構造の好適実施例について、図面を参照しながら説明する。
汚泥掻寄機は、従来と同様に、下水処理場や浄水場の沈殿池等で、その水底に沈殿又は堆積した汚泥やスラッジ等を掻き寄せ、排出するためのもので、図示しないが、沈殿池等の所定位置に２列となるように設けられた複数のスプロケットホイールと、該スプロケットホイールに掛け渡されて循環動する左右一対の無端のローラチェーンと、該一対の無端チェーン間に掛け渡され、チェーンの所定の間隔毎に取り付けられたフライトと、水底に敷設されて該フライトの水平移動をガイドする左右一対のガイドレールとからなる公知の基本構成であって、前記フライトの移動によって水底に沈殿又は堆積した汚泥やスラッジ等を、沈殿池等の一端に配設した汚泥ピット内に掻き寄せ、排出する。
【００１３】
ここで無端チェーン１１に取り付けられるフライト１は、本実施例の場合、合成樹脂からなっており、図１に示すように、全体形状を断面略Ｚ字形に形成しており、無端チェーン１１を構成する所定のリンク１５に取付可能となっている。
【００１４】
前記フライト１は、図１及び図３に示すように、無端チェーン１１のリンク１５に対して、略垂直に取り付けられる幅広プレートからなるフライト本体片２を有している。
該フライト本体片２の下方端部には、該下方端部において僅かに湾曲しながら同一の横幅で略直角に曲成されチェーンの前進方向に延び、無端チェーン１１に対して略水平となるように第１横片３が設けられている。
【００１５】
また、フライト本体片２の上方端側には、該上方端部において僅かに湾曲しながら同一の横幅で略直角に曲成され、前記第１横片３と反対方向（チェーンの後退方向）に延び、無端チェーン１１に対して略水平となるように第２横片４が一体に設けられている。
【００１６】
前記フライト１が固定される無端チェーン１１のリンク１５には、その中途位置から外方へ直角に延びる取付用ブラケット１６が一体に形成されている。
該取付用ブラケット１６は、図に示すように、チェーンの前進方向に扁平な取付面を配置し、裏面に一対の補強ステー１６ａを有する公知構成からなっている。
【００１７】
上記取付用ブラケット１６の取付面の中途位置には、フライト１をボルト締めするための左右一対に配置され図示例では上下に並んだボルト孔１６ｂが穿設されている。
一方、フライト本体片２の中途位置にも、前記ボルト孔１６ｂと整合可能なボルト孔２ａが穿設されている。
【００１８】
そして、取付用ブラケット１６のボルト孔とフライト本体片２のボルト孔１６ｂ及び２ａとを整合して、取付用ブラケット１６のボルト孔１６ｂ側からボルトＢ１の先端を通し、フライト本体片２のボルト孔２ａを通って裏面に突出させ、ナットＮ１でボルト締めすることで両者を固定している。
【００１９】
ここで、フライト１は、取付時に、第１横片３はリンク１５に近接して配置されて前方へ延び、第２横片４は取付用ブラケット１６を超えた離間位置に配置されて後方へ延びているので、フライト本体片２を取付用ブラケット１６の取付面に隙間無く密着させることができるので、従来のようなフィラーブロックを用いる必要がない。
【００２０】
そして、フライト１の端部寄りでガイドレール３１に対応する個所にはシュー７が取り付けられる。
図示例では、上下二個所にシュー７を取り付けている。
シュー７は、前記ガイドレール３１に摺接するため耐摩耗性を有する素材からなっているおり、断面アングル状に形成されている。
該シュー７は、フライト本体片２の中途位置から第１横片３の端部までを覆うように取り付けられる(図２参照）。
【００２１】
即ち、フライト本体片２には、第２横片４寄りにシュー７取付用の第１ボルト孔２ｂが穿設されており、シュー７のボルト孔７ａと整合してボルトＢ２を通しナットＮ２で緊締してシュー７がフライト１に固定される。
【００２２】
また、図２で、符号７ｂはシュー７の底面に前後に凹設されてガイドレール３１の上部を嵌合させて位置決めするガイド溝であるが、このガイド溝７ｂは設けなくてもよい。
なお、符号７ｃは、シュー７がガイドレール３１から外れないようにガイドするために側端部に設けた突縁部である。
【００２３】
これにより、フライト本体片２を取付用ブラケット１６に隙間無く接してボルト締めすることができる。
フライト本体片２の厚みを従来より僅かに、例えば１ｍｍ程度厚くし、且つナットを二重にして用いることで、フィラーブロックを用いなくても強度を維持することができ、更に、前記取付用ブラケット１６と対峙してフライト本体片２の表面側に取り付けられていた補強用のステンレス製当板の使用を省くことができる。
更に、突片部を設ける必要がないので、無端チェーン１１のリンク１５を取り付ける際に切欠を設ける必要も無くなった。
【００２４】
上記実施例では、フライトは合成樹脂製を例示したが金属製であってもよい。
更に、ボルトの段数や数は上記実施例に限定されない。
その他、要するにこの考案の要旨を変更しない範囲で種々設計変更しうることは勿論である。
【符号の説明】
【００２５】
１    フライト
２    フライト本体片
２ａ、２ｂ、２ｃ  ボルト孔
３    第１横片
４    第２横片
５    突片部
６    切欠部
７    シュー
８    フィラーブロック
１１    無端チェーン
１５    リンク
１６    取付用ブラケット
１６ａ  ボルト孔
２１    従来のフライト
３１    ガイドレール
Ｂ１、Ｂ２  ボルト
Ｎ１、Ｎ２  ナット
【図１】
0003161766.tif 000003
【図２】
0003161766.tif 000004
【図３】
0003161766.tif 000005
【図４】
0003161766.tif 000006
【図５】
0003161766.tif 000007
【図６】
0003161766.tif 000008
【図７】
0003161766.tif 000009
【手続補正書】
【提出日】平成22年6月7日(2010.6.7)
【手続補正１】
【補正対象書類名】実用新案登録請求の範囲
【補正対象項目名】請求項３
【補正方法】変更
【補正の内容】
【請求項３】
取付用ブラケットにフライト本体片を固定する際に、フィラーブロック及び補強用の当金を用いずに、扁平なフライト本体片を取付用ブラケットに沿って隙間無く密着させてボルト締めしてなることを特徴とする請求項１または２に記載の汚泥掻寄機のフライト構造。